(57)【特許請求の範囲】
【請求項１】
前面枠と、該前面枠に収納され、前面に遊技領域が区画形成された遊技盤と、を備えた遊技機において、
前記前面枠は、遊技領域を前方から被覆可能な開閉枠を開閉可能な状態で軸着し、
前記遊技盤は、遊技領域の下端部に遊技球を遊技領域外へ排出するためのアウト口を開設し、
前記開閉枠は、遊技領域を透視可能な状態で遊技盤を前方から被覆する透明部材と、当該開閉枠の下部に設けられた横長な開閉軸と、該開閉軸よりも上方に設けられ、前面枠へ係止可能な開閉支持部と、を備え、開閉軸を開閉中心にして開閉枠を開くと、透明部材が遊技盤の前方からアウト口側へ向けて下り傾斜した開放姿勢となり、開閉支持部を前面枠へ係止して開閉枠の開放姿勢を維持可能とし、
前記開閉枠のうち遊技領域側に臨ませた裏面には、横長な球誘導部を開閉枠の側部からアウト口側へ向けて下り傾斜する姿勢で備え、
前記開閉軸を開閉中心にして開閉枠を閉じて閉成姿勢へ変換すると、球誘導部を遊技領域の下端部に配置して遊技球をアウト口へ誘導可能としたことを特徴とする遊技機。
【請求項２】
前記球誘導部のうち透明部材側の縁部を凹ませて溝部を形成し、該溝部の溝幅を遊技球の半径よりも狭く設定したことを特徴とする請求項１に記載の遊技機。
【請求項３】
前記溝部のうちアウト口側の端部には、溝部を閉塞する閉塞部を設けたことを特徴とする請求項２に記載の遊技機。
【請求項４】
前記遊技盤は、遊技領域の下方に横長な不正防止起立壁を開閉枠側へ向けて突設し、
前記開閉軸を開閉中心にして開閉枠を閉じて閉成姿勢へ変換すると、球誘導部と不正防止起立壁とが上下に重合する状態で配置されるように構成されたことを特徴とする請求項１から請求項３のいずれかに記載の遊技機。
【発明の詳細な説明】
【技術分野】
【０００１】
本発明は、前面枠と、該前面枠に収納され、前面に遊技領域が区画形成された遊技盤とを備えたパチンコ遊技機等の遊技機に関する。
【背景技術】
【０００２】
従来の遊技機、例えば、パチンコ遊技機においては、前面に遊技領域が区画形成された遊技盤を前面枠へ収納し、該前面枠の前面側には、ガラス板等の透明部材が収納（保持）された開閉枠を配置して遊技盤を被覆し、透明部材を通して遊技領域を前方から透視できるように構成されている。そして、開閉枠（ガラス枠ユニット）を遊技盤と略同じ大きさの矩形状に設定し、該開閉枠の前方には、遊技領域と略同じ大きさの円形開口が開設された装飾枠を備え、開閉枠を前面枠の上部に軸着するとともに、装飾枠を前面枠の側部に軸着したパチンコ遊技機が提案されている（例えば、特許文献１参照）。このパチンコ遊技機においては、装飾枠を左右方向へ開放してから開閉枠を上下方向へ開放して遊技領域を露出するように構成されている。
【特許文献１】特開２００５−１８５７４３号公報
【発明の開示】
【発明が解決しようとする課題】
【０００３】
ところで、上記特許文献１に記載のパチンコ遊技機においては、装飾枠および開閉枠を開いて遊技領域を露出した場合、例えば、遊技領域を流下する遊技球が役物や障害釘等に引っ掛かって所謂球詰まりが発生し、この球詰まりを解消するために遊技領域を露出した場合、遊技領域から遊技球が落下して遊技店内の床に散乱してしまう虞があり、好ましくない。
【０００４】
そこで、本発明は、上記の事情に鑑みてなされたものであり、その目的は、遊技領域から外方へこぼれ落ちた遊技球が散乱する不都合をなくすことができる遊技機を提供しようとするものである。
【課題を解決するための手段】
【０００５】
本発明は、上記目的を達成するために提案されたものであり、請求項１に記載のものは、前面枠と、該前面枠に収納され、前面に遊技領域が区画形成された遊技盤と、を備えた遊技機において、
前記前面枠は、遊技領域を前方から被覆可能な開閉枠を開閉可能な状態で軸着し、
前記遊技盤は、遊技領域の下端部に遊技球を遊技領域外へ排出するためのアウト口を開設し、
前記開閉枠は、遊技領域を透視可能な状態で遊技盤を前方から被覆する透明部材と、当該開閉枠の下部に設けられた横長な開閉軸と、該開閉軸よりも上方に設けられ、前面枠へ係止可能な開閉支持部と、を備え、開閉軸を開閉中心にして開閉枠を開くと、透明部材が遊技盤の前方からアウト口側へ向けて下り傾斜した開放姿勢となり、開閉支持部を前面枠へ係止して開閉枠の開放姿勢を維持可能とし、
前記開閉枠のうち遊技領域側に臨ませた裏面には、横長な球誘導部を開閉枠の側部からアウト口側へ向けて下り傾斜する姿勢で備え、
前記開閉軸を開閉中心にして開閉枠を閉じて閉成姿勢へ変換すると、球誘導部を遊技領域の下端部に配置して遊技球をアウト口へ誘導可能としたことを特徴とする遊技機である。
【０００７】
請求項２に記載のものは、前記球誘導部のうち透明部材側の縁部を凹ませて溝部を形成し、該溝部の溝幅を遊技球の半径よりも狭く設定したことを特徴とする請求項１に記載の遊技機である。
【０００８】
請求項３に記載のものは、前記溝部のうちアウト口側の端部には、溝部を閉塞する閉塞部を設けたことを特徴とする請求項２に記載の遊技機である。
【０００９】
請求項４に記載のものは、前記遊技盤は、遊技領域の下方に横長な不正防止起立壁を開閉枠側へ向けて突設し、
前記開閉軸を開閉中心にして開閉枠を閉じて閉成姿勢へ変換すると、球誘導部と不正防止起立壁とが上下に重合する状態で配置されるように構成されたことを特徴とする請求項１から請求項３のいずれかに記載の遊技機である。
【発明の効果】
【００１０】
本発明によれば、以下のような優れた効果を奏する。
請求項１に記載の発明によれば、前面枠は、遊技領域を前方から被覆可能な開閉枠を開閉可能な状態で軸着し、遊技盤は、遊技領域の下端部に遊技球を遊技領域外へ排出するためのアウト口を開設し、開閉枠は、遊技領域を透視可能な状態で遊技盤を前方から被覆する透明部材と、当該開閉枠の下部に設けられた横長な開閉軸と、該開閉軸よりも上方に設けられ、前面枠へ係止可能な開閉支持部とを備え、開閉軸を開閉中心にして開閉枠を開くと、透明部材が遊技盤の前方からアウト口側へ向けて下り傾斜した開放姿勢となり、開閉支持部を前面枠へ係止して開閉枠の開放姿勢を維持可能とし、開閉枠のうち遊技領域側に臨ませた裏面には、横長な球誘導部を開閉枠の側部からアウト口側へ向けて下り傾斜する姿勢で備えたので、開閉枠を開放して遊技球が遊技領域から外方へこぼれ落ちたとしても、遊技球を開放状態の開閉枠の上に受け止めてアウト口へ回収することができる。したがって、遊技領域からこぼれ落ちた遊技球が散乱する不都合をなくすことができる。
【００１１】
また、開閉軸を開閉中心にして開閉枠を閉じて閉成姿勢へ変換すると、球誘導部を遊技領域の下端部に配置して遊技球をアウト口へ誘導可能としたので、開閉枠を開放した状態で遊技球をアウト口へ誘導する構成要素と、開閉枠を閉成した状態で遊技球をアウト口へ誘導する構成要素とを別個に設ける必要がなく、遊技機の構成部品数の減少を図ることができる。
【００１２】
請求項２に記載の発明によれば、球誘導部のうち透明部材側の縁部を凹ませて溝部を形成し、該溝部の溝幅を遊技球の半径よりも狭く設定したので、遊技球よりも小さな止着具や埃等の異物が開閉枠上に落下したとしても、この異物を溝部で受けて遊技球と分別することができ、遊技球をスムーズにアウト口へ回収することができる。
【００１３】
請求項３に記載の発明によれば、溝部のうちアウト口側の端部には、溝部を閉塞する閉塞部を設けたので、溝部に溜まった異物がアウト口へ侵入する不都合を阻止することができる。
【００１４】
請求項４に記載の発明によれば、遊技盤は、遊技領域の下方に横長な不正防止起立壁を開閉枠側へ向けて突設し、開閉軸を開閉中心にして開閉枠を閉じて閉成姿勢へ変換すると、球誘導部と不正防止起立壁とが上下に重合する状態で配置されるように構成したので、遊技盤の下部と開閉枠の下部との隙間からピアノ線等の不正部材が差し込まれたとしても、球誘導部と不正防止起立壁とで不正部材の先端が遊技領域内へ侵入することを阻止することができ、不正行為を未然に防ぐことができる。
【発明を実施するための最良の形態】
【００１５】
以下、代表的な遊技機であるパチンコ遊技機を例に挙げて本発明の実施の最良の形態を図面に基づき説明する。図１はパチンコ遊技機の正面図、図２および図３は前面側を開放した状態のパチンコ遊技機の斜視図である。
パチンコ遊技機１は、図１から図３に示すように、機枠（外枠）２に前面枠（内枠）３を開閉可能に軸着し、この前面枠３のベースとなる前面枠本体４の上部には矩形状の遊技盤５を収納可能とし、該遊技盤５の表面（前面）に遊技領域６を区画形成し、遊技盤５の下方には変動表示ユニット７を着脱可能な状態で配置している。また、前面枠本体４の前面側には、一側（図１中、左側）が軸着された透明部材保持枠１１を前後方向へ開閉（回動）可能に設け、該透明部材保持枠１１に透視可能な透明部材１２を保持し、透明部材保持枠１１の下部には、遊技球を貯留可能な球貯留ユニット１３を備えている。そして、透明部材保持枠１１を閉じると、遊技盤５が透明部材保持枠１１に覆われるとともに、透明部材１２が遊技領域６の前方に配置され、透明部材１２を通して遊技領域６と変動表示ユニット７とを上下に並んだ状態で前方から視認できるように構成されている。さらに、前面枠本体４のうち閉状態の透明部材保持枠１１の下部に隣接する箇所には棚部１５を前面枠本体４の下部から前方へ突出して前後方向に厚肉な状態で配置している。そして、棚部１５の前面の一側（図１中、左側）には、遊技者が遊技中に操作可能な遊技演出用ボタン１６を備え、他側（図１中、右側）には、遊技者が遊技球を発射するために操作する発射操作ユニット（発射操作ハンドル）１７を備えている。
【００１６】
前面枠本体４は、大きな矩形状の開口を上寄りに開設した合成樹脂製枠体であり、図２（ａ）に示すように、開口内に遊技盤５と変動表示ユニット７とを上下に並べて収納している。具体的に説明すると、開口の上半部分に額縁状の遊技盤収納フレーム２２を備え、該遊技盤収納フレーム２２内に遊技盤５を着脱可能な状態で収納している。また、遊技盤収納フレーム２２の下端には遊技盤載置部２３を設け、該遊技盤載置部２３に遊技盤５の下端を載置することで遊技盤５の上下方向の位置を規制するように構成されている。さらに、遊技盤５の前方には略蒲鉾形状の遊技盤カバー２４（本発明における開閉枠に相当）を配置し、該遊技盤カバー２４により遊技領域６を前方から被覆可能としている（図２（ｂ）参照）。なお、遊技盤カバー２４については、後で詳細に説明する。
【００１７】
また、前面枠本体４の開口の下半部分であって遊技盤５の下方には表示ユニット配置部２６を備え、該表示ユニット配置部２６に変動表示ユニット７を配置し、表示ユニット配置部２６の下縁部となる表示ユニット載置部２７を棚部１５よりも後方の位置に配置し、棚部１５の上方、且つ表示ユニット載置部２７の前方に透明部材保持枠１１の球貯留ユニット１３を配置可能としている。そして、前面枠本体４のうち球貯留ユニット１３の後方に位置する箇所の一側寄り（図２（ａ）中、右寄り）には、球排出装置（図示せず）から排出された遊技球を流下可能な枠側球流下路２８を備えている。さらに、該枠側球流下路２８の下流開口を変動表示ユニット７と表示ユニット載置部２７との間から前方へ臨ませ、透明部材保持枠１１を閉じると枠側球流下路２８と球貯留ユニット１３とが前後に並んで連通し、遊技球を枠側球流下路２８から球貯留ユニット１３へ供給できるように構成されている。
【００１８】
また、前面枠本体４のうち球貯留ユニット１３の後方に位置する箇所の他側寄り（図２（ａ）中、左寄り）には、遊技球が１個ずつ通過可能な球送り流路２９を設け、該球送り流路２９の後方には、球貯留ユニット１３に貯留された遊技球を遊技領域６へ向けて発射可能な発射装置３０を配置している。そして、球貯留ユニット１３から流下してきた遊技球が球送り流路２９を通過して発射装置３０へ到達するように構成されている。
【００１９】
遊技盤５は、図２（ａ）に示すように、矩形状の遊技盤本体３３の前面に領域区画部材３４を止着して略半円形状の遊技領域６を区画形成し、遊技領域６の側方（図２（ａ）中、左側方）には、発射装置３０から発射された遊技球を遊技領域６内へ案内するための円弧状の発射流路３６を形成している。そして、遊技領域６の中央部よりも下寄りの位置には、遊技球が入賞可能な入賞装置３８、例えば、変動表示ユニット７で実行される変動表示ゲームを始動するための始動入賞口や、変動表示ゲームの大当たり時に扉を開いて遊技球が入賞可能となる大入賞口を配置し、遊技領域６の下端部には、入賞せずに遊技領域６を流下してきた遊技球（アウト球）を遊技領域６の外方へ排出するためのアウト口４０を開設している。また、遊技領域６の下方には、横長なリブ状の不正防止起立壁４１を遊技盤カバー２４側（遊技盤５の前方）へ向けて突設するとともに、遊技領域６の左右両側からアウト口４０の側縁へ向けて下り傾斜した姿勢に設定し、不正防止起立壁４１の突出幅（前後幅）を遊技盤本体３３と遊技領域６を被覆した状態の遊技盤カバー２４との離間距離よりも狭くしている（図２および図６（ｂ）参照）。
【００２０】
変動表示ユニット７は、図２（ａ）および図３に示すように、液晶表示器からなる表示部４４と、該表示部４４の左右両側方に配置され、遊技の進行に伴って音を発生して演出を行うスピーカー４５とを備えて構成されている。そして、表示部４４を前方へ下り傾斜した状態で配置するとともに、表示部４４の傾斜上端を遊技領域６（言い換えると遊技盤５と遊技盤カバー２４との間の空間）の下端部の直下に配置している。なお、表示部４４では、遊技盤５で実行される遊技に関わる画像、例えば始動入賞口である入賞装置３８への入賞に基づいて実行される変動表示ゲームの画像を表示するように設定されている。
【００２１】
次に、遊技盤カバー２４について説明する。
遊技盤カバー２４は、図４に示すように、遊技盤５（または遊技盤収納フレーム２２）よりも僅かに小さい略蒲鉾形枠状のカバーフレーム４７を備え、該カバーフレーム４７の内側には、遊技領域６よりもひと回り大きなガラス板または透明樹脂板で形成された透明部材４８を保持し、該透明部材４８により遊技領域６を透視可能な状態で遊技盤５を前方から被覆できるように構成されている。そして、縦向き状態となる閉成姿勢（図２（ｂ）参照）において遊技盤カバー２４の下部となるカバーフレーム４７の下縁部には横長な開閉軸４９を設け、該開閉軸４９を介して当該遊技盤カバー２４を前面枠本体４、具体的には遊技盤載置部２３の前縁部へ軸着している。言い換えると、遊技盤カバー２４の開閉中心となる開閉軸４９を遊技盤５と変動表示ユニット７の間に配置している。
【００２２】
したがって、遊技盤カバー２４のうち透明部材４８を挟んで開閉軸４９とは反対側となる端部（図２（ｂ）中、上端部）を自由端部２４ａとし、該自由端部２４ａを上下方向へ移動することで、遊技盤カバー２４を前面枠本体４（前面枠３）に対して縦方向（上下方向）へ開閉可能としている。具体的には、自由端部２４ａを遊技盤５の上部の前方に配置して遊技盤カバー２４を閉じると、閉成姿勢へ変換して遊技領域６を前方から被覆（閉成）する（図２（ｂ）参照）。一方、自由端部２４ａを下方へ移動して開閉軸４９よりも前方、言い換えると遊技盤カバー２４の下端部よりも前方へ配置して遊技盤カバー２４を開くと、開放姿勢へ変換して遊技領域６を前方へ向けて開放する（図２（ａ）および図３参照）。そして、遊技盤カバー２４の開放姿勢においては、図２（ａ）に示すように、透明部材４８のうち遊技領域６側に臨ませた裏面が遊技領域６の下部から前方へ延出した状態、言い換えると、遊技盤５の前方からアウト口４０側へ向けて下り傾斜した状態に設定され、透明部材４８上の遊技球をアウト口４０へ向けて転動するように構成されている。
【００２３】
また、カバーフレーム４７の自由端部２４ａ側には前面枠本体４に対して着脱可能な係合具５１を設け、遊技盤カバー２４を閉成姿勢とした状態で係合具５１を前面枠本体４へ係合して閉成姿勢を維持可能とし、前面枠本体４と係合具５１との係合状態を解除すると、遊技盤カバー２４を閉成姿勢から開放姿勢へ変換することを許容する。さらに、カバーフレーム４７の側部（図４中、右側部）のうち開閉軸４９よりも上方の位置（自由端部２４ａ寄りの位置）には、長尺な開閉支持部５２の一端（上端）を回動自在な状態で軸着し、遊技盤カバー２４を開放姿勢に設定した状態で開閉支持部５２の他端（下端）を前面枠本体４に設けられた支持受部５３（図３参照）へ係止して、遊技盤カバー２４の開放姿勢（言い換えると、アウト口４０側へ向けて下り傾斜した姿勢）を維持できるように構成されている（図３および図５（ｃ）参照）。
【００２４】
なお、開閉支持部５２は、図５（ａ）に示すように、当該開閉支持部５２の軸着部５２ａの軸方向を開閉軸４９に平行な軸方向に設定し、遊技盤カバー２４を閉成姿勢に設定すると、カバーフレーム４７の側部に沿って延在する姿勢で配置され、遊技盤カバー２４を閉成姿勢から開放姿勢へ変換すると、遊技盤カバー２４の開閉動作に伴って自重により開閉支持部５２の下端を前後方向（遊技盤カバー２４の表裏方向）へ移動して回動できるように構成されている。さらに、軸着部５２ａを挟んで開閉支持部５２とは反対側には支持部ストッパー５４を延設し、遊技盤カバー２４を閉成姿勢から開放姿勢へ変換する途中で支持部ストッパー５４をカバーフレーム４７に当接して開閉支持部５２の姿勢を規制し（図５（ｂ）参照）、この規制状態で遊技盤カバー２４を開放姿勢へ変換すれば、開閉支持部５２の下端を支持受部５３へ係止して遊技盤カバー２４の開放姿勢を維持できるように構成されている（図５（ｃ）参照）。
【００２５】
そして、遊技盤カバー２４は、図２（ａ）および図４に示すように、当該遊技盤カバー２４の裏面（詳しくは透明部材４８の裏面）のうち開閉軸４９寄りの位置に、横長なリブ状の球誘導部５７を遊技領域６側へ突設するとともに、遊技盤カバー２４の左右両側部から遊技盤カバー２４の左右方向の中央側、言い換えるとアウト口４０側へ向けて下り傾斜する姿勢で備えている。さらに、図６（ａ）および（ｂ）に示すように、球誘導部５７の突出幅を遊技盤本体３３と閉成姿勢の遊技盤カバー２４との離間距離と同じ寸法に設定し、球誘導部５７のうちアウト口４０の前方に位置する部分には、アウト口４０の開口幅（横幅）よりも僅かに狭い連通開口５８を切り欠いてアウト口４０へ連通可能とし、球誘導部５７に誘導された遊技球を連通開口５８へ通してアウト口４０に流下できるように構成されている。また、球誘導部５７のうち透明部材４８側の縁部を１段凹ませて溝部５９を形成し、該溝部５９の溝幅を遊技球の半径よりも狭く設定し、溝部５９のうちアウト口４０側の端部、具体的には連通開口５８に臨ませた部分には、溝部５９を閉塞する閉塞部６０を設けている。
【００２６】
このような構成を備えたパチンコ遊技機１において、遊技領域６を露出するには、まず、透明部材保持枠１１を遊技盤カバー２４の前方から外れるまで十分に開いて前面枠本体４の前面側を開放する。すると、図２（ｂ）に示すように、遊技盤カバー２４が露出し、遊技盤カバー２４の前方に、遊技盤カバー２４が下方（言い換えると透明部材保持枠１１とは異なる回動方向）へ回動可能となる空間を確保することができる。遊技盤カバー２４が露出したならば、係合具５１と前面枠本体４との係合状態を解除してから開閉軸４９を中心にして遊技盤カバー２４を開き、自由端部２４ａを遊技盤５の上部から前方へ離す。このとき、開閉支持部５２が自重により遊技盤カバー２４に対して回動して垂直姿勢を維持し、支持部ストッパー５４とカバーフレーム４７とが係合すると、開閉支持部５２が遊技盤カバー２４に対する回動を規制され、遊技盤カバー２４とともに傾く。
【００２７】
そして、遊技盤カバー２４を十分に開いて開放姿勢に変換すると、遊技盤カバー２４は、図２（ａ）および図３に示すように、自由端部２４ａを表示部４４の上方において開閉軸４９よりも前方に位置し、後方の遊技盤５、詳しくは遊技領域６のアウト口４０へ向けて下り傾斜した姿勢となる。さらに、図６（ａ）に示すように、球誘導部５７を溝部５９および閉塞部６０が下側に位置する状態で起立姿勢に設定するとともに、遊技盤カバー２４の側部からアウト口４０側、詳しくはアウト口４０の前方へ向けて下り傾斜し、アウト口４０と連通開口５８とを前後に重なる状態で連通する。したがって、メンテナンス作業などにおいて遊技盤カバー２４を開放して遊技球が遊技領域６から外方へこぼれ落ちたとしても、遊技球を開放状態の遊技盤カバー２４の上に受け止めてアウト口４０へ回収することができる。これにより、遊技領域６からこぼれ落ちた遊技球が散乱する不都合をなくすことができる。また、遊技球が表示部４４に衝突することを防ぐことができ、変動表示ユニット７が損傷する不都合を抑えることができる。
【００２８】
さらに、遊技盤カバー２４は、図５（ｃ）に示すように、回動を規制された支持部ストッパー５４の下端を支持受部５３へ係止し、下方への回動を阻止されて開放姿勢を維持する。したがって、遊技球が上方から落下して遊技盤カバー２４へ衝突したとしても、遊技盤カバー２４により遊技球をアウト口４０へ回収する機能を維持することができる。さらに、遊技盤カバー２４が開き過ぎて表示部４４に衝突する不具合、ひいては表示部４４が損傷する不具合をなくすことができる。そして、球誘導部５７に遊技球の半径よりも狭い溝幅の溝部５９を設けたので、遊技球よりも小さな止着具や埃等の異物Ａが遊技盤カバー２４上に落下したとしても、この異物Ａを溝部５９で受けて遊技球と分別することができ、遊技球をスムーズにアウト口４０へ回収することができる（図６（ａ）参照）。また、閉塞部６０により、溝部５９に溜まった異物が連通開口５８へ移動してアウト口４０へ侵入する不都合を阻止することができる。
【００２９】
一方、遊技盤カバー２４および透明部材保持枠１１を閉じるには、まず、遊技盤カバー２４の自由端部２４ａを上方へ持ち上げて、開閉軸４９を中心にして遊技盤カバー２４を閉じて閉成姿勢へ変換し、係合具５１と前面枠本体４とを係合して閉成姿勢を維持する。このとき、開閉支持部５２は、遊技盤カバー２４を閉成姿勢にする前、具体的には、図５（ｂ）に示すように、当該開閉支持部５２が垂直姿勢となったときに自重により回動して支持部ストッパー５４をカバーフレーム４７から離すとともに、当該開閉支持部５２の下端をカバーフレーム４７側へ移動する。そして、遊技盤カバー２４を閉成姿勢にすると、カバーフレーム４７の側部に重合する。遊技盤カバー２４を閉じて遊技領域６を前方から被覆したならば、透明部材保持枠１１を閉じて遊技盤カバー２４および変動表示ユニット７を前方から被覆する。この結果、透明部材１２，４８を通して遊技領域６と表示部４４とを上下に並んだ状態で前方から視認可能となる。
【００３０】
そして、遊技盤カバー２４を閉成姿勢へ変換した状態では、遊技領域６の下端部に球誘導部５７をアウト口４０側へ向けて下り傾斜した状態に配置するとともに、球誘導部５７の先端部（後端部）を遊技盤５の表面に当接する。言い換えると、球誘導部５７が遊技領域６の下端を区画する区画部材として機能し、遊技球が球誘導部５７に誘導されて連通開口５８を通ってアウト口４０へ回収可能となる。さらに、図６（ｂ）に示すように、球誘導部５７と不正防止起立壁４１とを上下に重合する状態で配置し、球誘導部５７と遊技盤５との当接部分を不正防止起立壁４１により下方から被覆する。したがって、遊技盤カバー２４を開放した状態で遊技球をアウト口４０へ誘導する構成要素と、遊技盤カバー２４を閉成した状態で遊技球をアウト口４０へ誘導する構成要素とを別個に設ける必要がなく、パチンコ遊技機１の構成部品数の減少を図ることができる。遊技盤５の下部と遊技盤カバー２４の下部との隙間からピアノ線等の不正部材が差し込まれたとしても、球誘導部５７と不正防止起立壁４１とで不正部材の先端が遊技領域６内へ侵入することを阻止することができ、不正行為（例えば、不正部材により大入賞口の開閉扉を強引に開放して遊技球を入賞させようとする不正行為）を未然に防ぐことができる。
【００３１】
ところで、上記実施形態では、球誘導部５７を透明部材４８に止着したが、本発明はこれに限定されない。要は、遊技盤カバー２４に球誘導部５７を設けていればよく、例えば、カバーフレーム４７に球誘導部５７を設けてもよい。また、遊技盤カバー２４は、透明部材４８とカバーフレーム４７とを別個に設けたが、本発明はこれに限定されない。例えば、透明樹脂により遊技盤カバー２４を一体成型して遊技盤カバー２４の中央部分を透視できるように構成してもよい。さらに、上記実施形態では、開閉枠の一例として遊技盤カバー２４を挙げて説明したが、本発明はこれに限定されない。要は、遊技領域６を前方から被覆可能な開閉枠であれば、どのような構成であってもよい。
【００３２】
そして、上記した実施形態は、代表的な遊技機であるパチンコ遊技機を例に挙げて説明したが、本発明はこれに限らず、前面枠と、該前面枠に収納され、前面に遊技領域が区画形成された遊技盤と備えた遊技機であればどのような遊技機でもよい。例えば、封入球式パチンコ機、アレンジボール式遊技機、雀球式遊技機等の遊技機であってもよい。
【００３３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３４】
【図１】パチンコ遊技機の正面図である。
【図２】（ａ）は透明部材保持枠および遊技盤カバーが開放されたパチンコ遊技機の斜視図、（ｂ）は遊技盤カバーを閉じた状態の斜視図である。
【図３】透明部材保持枠および遊技盤カバーが開放されたパチンコ遊技機を透明部材保持枠側から見た斜視図である。
【図４】遊技盤カバーの斜視図である。
【図５】遊技盤カバーの側面図であり、（ａ）は閉成姿勢の状態、（ｂ）は閉成姿勢から開放姿勢へ変換する途中の状態、（ｃ）は開放姿勢の状態である。
【図６】球誘導部の説明図であり、（ａ）は遊技盤カバーを開放姿勢とした状態、（ｂ）は遊技盤カバーを閉成姿勢とした状態である。
【符号の説明】
【００３５】
１  パチンコ遊技機
３  前面枠
４  前面枠本体
５  遊技盤
６  遊技領域
７  変動表示ユニット
１１  透明部材保持枠
１２  透明部材
２２  遊技盤収納フレーム
２３  遊技盤載置部
２４  遊技盤カバー
３３  遊技盤本体
３８  入賞装置
４０  アウト口
４１  不正防止起立壁
４７  カバーフレーム
４８  透明部材
４９  開閉軸
５２  開閉支持部
５３  支持受部
５７  球誘導部
５８  連通開口
５９  溝部
６０  閉塞部
【図１】
0004778009.tif 000002
【図２】
0004778009.tif 000003
【図３】
0004778009.tif 000004
【図４】
0004778009.tif 000005
【図５】
0004778009.tif 000006
【図６】
0004778009.tif 000007